(57)【要約】【課題】無線通信システムで時空間符号化を用いたデータ通信方法を提供する。【解決手段】この方法は、移動局と閉ループＳＴＣ（Ｓｐａｃｅ−Ｔｉｍｅ  Ｃｏｄｉｎｇ）通信状態にある多重アンテナを含む基地局から受信したデータを用いてチャネルの品質を測定する段階を含む。該方法はまた、前記基地局の前記多重アンテナの個数に基づいて、加重値要素を含む第１加重値行列を決定する段階を備える。前記方法はまた、既設定された条件に対応して前記第１加重値行列から、後続転送のために前記基地局の前記多重アンテナを用いてデータ出力を制御することと関連した第２加重値行列を決定する段階を備える。前記方法はまた、前記第２加重値行列と関連したＳＴＣ出力の個数を前記基地局に提供する段階を備える。【選択図】図２
2008510420.tif 000002
【特許請求の範囲】
【請求項１】
無線通信システムでのデータ通信制御方法において、
移動局と閉ループＳＴＣ（Ｓｐａｃｅ−Ｔｉｍｅ  Ｃｏｄｉｎｇ）通信状態である多重アンテナを含む基地局から受信したデータを用いてチャネルの品質を測定する段階と、
前記基地局の前記多重アンテナの個数に基づき、加重値要素を含む第１加重値行列を決定する段階と、
既設定された条件に対応して前記第１加重値行列から、後続転送のために前記基地局の前記多重アンテナを用いてデータ出力を制御することと関連した第２加重値行列を決定する段階と、
前記第２加重値行列と関連したＳＴＣ出力の個数を前記基地局に提供する段階と、
を含む、データ通信制御方法。
【請求項２】
前記第２加重値行列の加重値要素のうちの少なくとも一部は、前記基地局にフィードバックされることを特徴とする、請求項１に記載のデータ通信方法。
【請求項３】
前記加重値要素のうちの少なくとも一部は、チャネル品質情報チャネル（Ｃｈａｎｎｅｌ  Ｑｕａｌｉｔｙ  Ｉｎｆｏｒｍａｔｉｏｎ  Ｃｈａｎｎｅｌ：ＣＱＩＣＨ）を通じて前記基地局に転送されることを特徴とする、請求項２に記載のデータ通信方法。
【請求項４】
それぞれの加重値要素は、前記多重アンテナのチャネル品質と関連し、前記基地局から転送された送信電力及び信号の位相のうちの少なくとも一つの制御に用いられることを特徴とする、請求項１に記載のデータ通信方法。
【請求項５】
前記ＳＴＣ出力は、データストリーム（ｓｔｒｅａｍ）に対応することを特徴とする、請求項１に記載のデータ通信方法。
【請求項６】
無線通信システムネットワークのデータ通信制御方法において、
移動局と閉ループＳＴＣ（ｓｐａｃｅ−ｔｉｍｅ  ｃｏｄｉｎｇ）通信状態にある多重アンテナを含む基地局で、チャネル品質を測定するのに用いるために前記移動局にデータを転送する段階と、
前記移動局から、第２加重値行列と関連したＳＴＣ出力個数を受信する段階と、
を含み、
前記移動局は、前記基地局の前記多重アンテナの個数による加重値要素を含む第１加重値行列を決定することを特徴とし、
前記移動局は、既設定された条件に対応して前記第１加重値行列から、後続転送のために前記基地局の前記多重アンテナを用いてデータ出力を制御することと関連した前記第２加重値行列を決定することを特徴とする、データ通信方法。
【請求項７】
前記第２加重値行列の加重値要素のうちの少なくとも一部は、前記基地局にフィードバックされることを特徴とする、請求項６に記載のデータ通信方法。
【請求項８】
前記加重値要素のうちの少なくとも一部は、チャネル品質情報チャネルを通じて前記基地局に転送されることを特徴とする、請求項７に記載のデータ通信方法。
【請求項９】
それぞれの加重値要素は、前記多重アンテナのチャネル品質と関連し、前記基地局から転送された送信電力及び信号の位相のうちの少なくとも一つの制御に用いられることを特徴とする、請求項６に記載のデータ通信方法。
【請求項１０】
前記ＳＴＣ出力は、データストリームに対応することを特徴とする、請求項６に記載のデータ通信方法。
【請求項１１】
無線通信システムでのデータ通信制御のための移動局において、
移動局と閉ループＳＴＣ（Ｓｐａｃｅ−Ｔｉｍｅ  Ｃｏｄｉｎｇ）通信状態である多重アンテナを含む基地局から受信したデータからチャネルの品質を測定する手段と、
前記基地局の前記多重アンテナ数による、加重値要素を含む第１加重値行列を決定する手段と、
既設定された条件に対応して前記第１加重値行列から、後続転送のために前記基地局の前記多重アンテナを使用してデータ出力を制御することと関連した第２加重値行列を決定する手段と、
前記第２加重値行列と関連したＳＴＣ出力の個数を前記基地局に提供する手段と、
を備える、移動局。
【請求項１２】
前記第２加重値行列の加重値要素のうちの少なくとも一部は、前記基地局にフィードバックされることを特徴とする、請求項１１に記載の移動局。
【請求項１３】
前記加重値要素のうちの少なくとも一部は、チャネル品質情報チャネル（Ｃｈａｎｎｅｌ  Ｑｕａｌｉｔｙ  Ｉｎｆｏｒｍａｔｉｏｎ  Ｃｈａｎｎｅｌ：ＣＱＩＣＨ）を通じて前記基地局に転送されることを特徴とする、請求項１２に記載の移動局。
【請求項１４】
それぞれの加重値要素は、前記多重アンテナのチャネル品質と関連し、前記基地局から転送された送信電力及び信号の位相のうちの少なくとも一つの制御に使用されることを特徴とする、請求項１１に記載の移動局。
【請求項１５】
前記ＳＴＣ出力は、データストリーム（ｓｔｒｅａｍ）に対応することを特徴とする、請求項１１に記載の移動局。
【請求項１６】
無線通信システムでデータ通信を制御するためのネットワークにおいて、
移動局と閉ループＳＴＣ（ｓｐａｃｅ−ｔｉｍｅ  ｃｏｄｉｎｇ）通信状態にある多重アンテナを含む基地局で、チャネル品質を測定するのに使用するために前記移動局にデータを転送する手段と、
前記移動局から、第２加重値行列と関連したＳＴＣ出力の個数を受信する手段と、
を備え、
前記移動局は、前記基地局の前記多重アンテナの個数による加重値要素を含む第１加重値行列を決定することを特徴とし、
前記移動局は、既設定された条件に対応して前記第１加重値行列から、後続転送のために前記基地局の前記多重アンテナを使用してデータ出力を制御することと関連した前記第２加重値行列を決定することを特徴とする、ネットワーク。
【請求項１７】
前記第２加重値行列の加重値要素のうちの少なくとも一部は、前記基地局にフィードバックされることを特徴とする、請求項１６に記載のネットワーク。
【請求項１８】
前記加重値要素のうちの少なくとも一部は、チャネル品質情報チャネルを通じて前記基地局に転送されることを特徴とする、請求項１６に記載のネットワーク。
【請求項１９】
それぞれの加重値要素は、前記多重アンテナのチャネル品質と関連し、前記基地局から転送された送信電力及び信号の位相のうちの少なくとも一つの制御に用いられることを特徴とする、請求項１６に記載のネットワーク。
【請求項２０】
前記ＳＴＣ出力は、データストリームに対応することを特徴とする、請求項１６に記載のネットワーク。
【発明の詳細な説明】
【技術分野】
【０００１】
本発明は、無線通信システムに係り、より詳細には、時空間符号化（ＳＴＣ：Ｓｐａｃｅ−Ｔｉｍｅ  Ｃｏｄｉｎｇ）を用いるデータ通信に関する。
【背景技術】
【０００２】
直交周波数分割多重／直交周波数分割多重接続（ＯＦＤＭ／ＯＦＤＭＡ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ／Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ）システムにおいて、多重転送アンテナを支援する基地局は、転送ダイバーシティ利得を得るために移動局から加重値（ｗｅｉｇｈｔ）またはチャネル情報を受信することができる。また、この基地局は、加重値またはチャネル情報のフィードバックのためのチャネル品質情報チャネル（ＣＱＩＣＨ）を割り当てる。
【０００３】
図１は、ＯＦＤＭ／ＯＦＤＭＡシステムにおいて移動局と基地局間のデータ通信を示すダイヤグラムである。一例として、図１は、多重アンテナ技術を使用するＯＦＤＭ／ＯＦＤＭＡシステムで移動局と基地局間の情報伝達方法を示す。
【０００４】
図１を参照すると、基地局（ＢＳ）は、基地局アンテナ数の通知及び基地局アンテナ数によるＳＴＣ（ｓｐａｃｅ−ｔｉｍｅ  ｃｏｄｉｎｇ）モードをＳＴＣ領域ＩＥ（ｉｎｆｏｒｍａｔｉｏｎ  ｅｌｅｍｅｎｔ）メッセージを通じて移動局に提供するために多重転送アンテナを使用する（Ｓ１０）。ＭＩＭＯＤＬ（Ｍｕｌｔｉｐｌｅ−Ｉｎｐｕｔ  Ｍｕｌｔｉｐｌｅ−Ｏｕｔｐｕｔ  Ｄｏｗｎｌｉｎｋ）基本（または、強化した）ＩＥメッセージ及びＣＱＩＣＨ強化割当ＩＥメッセージは、転送形態行列を提供し（Ｓ１１）、チャネル品質情報（ＣＱＩ）を要求する（Ｓ１２、Ｓ１３）。
【０００５】
チャネル品質情報が基地局によって要求される場合、移動局は、下り回線のチャネル品質を測定する、または、チャネル品質による加重値行列（Ｗ）を獲得する。加重値行列（Ｗ）の大きさは、基地局の転送アンテナの個数及びＳＴＣモードによる出力信号の個数によって決定される。下記の数学式（１）は、基地局における４個の転送アンテナ及び２個のＳＴＣ出力信号による加重値行列（Ｗ）の一例を示すものである。
【０００６】
【数１】
2008510420.tif 000003
移動局は、上記数学式（１）から得た加重値行列（Ｗ）に関するフィードバックまたはチャネル品質情報を、チャネル品質情報チャネル（ＣＱＩＣＨ）を通じて基地局に提供する（Ｓ１２）。
【０００７】
当該基地局は多重転送アンテナを使用して、受信されるＳＮＲ（ｓｉｇｎａｌ  ｔｏ  ｎｏｉｓｅ  ｒａｔｉｏ）の向上のために、フィードバックによって移動局から加重値を受信する。該基地局は、フィードバックのために移動局に上向きリンクのＣＱＩＣＨを割り当てる。
【発明の開示】
【発明が解決しようとする課題】
【０００８】
しかしながら、従来方法では、時空間転送ダイバーシティ（ＳＴＴＤ：Ｓｐａｃｅ  Ｔｉｍｅ  Ｔｒａｎｓｍｉｔ  Ｄｉｖｅｒｓｉｔｙ）から転送アレイアンテナ（ＴｘＡＡ：Ｔｒａｎｓｍｉｔ  Ａｒｒａｙ  Ａｎｔｅｎｎａ）に転送モードを切り換える場合に、加重値行列のための全ての必要情報が提供されなければならなかった。そうしないと、通信のために移動局は行列の不必要なインデックス値を報告しなければならなく、また、基地局はインデックス値を受信するためにフィードバックチャネルを割り当てなければならないため、チャネル割当の浪費を招くという結果につながることがあった。
【０００９】
したがって、本発明は上記の従来技術の限界及び欠点に起因する一つ以上の問題を実質的に解決するためのもので、時空間符号化（ＳＴＣ：ｓｐａｃｅ−ｔｉｍｅ  ｃｏｄｉｎｇ）方式を使用するデータ通信に関する。
【００１０】
本発明の目的は、チャネル品質情報チャネル（ＣＱＩＣＨ：Ｃｈａｎｎｅｌ  Ｑｕａｌｉｔｙ  Ｉｎｆｏｒｍａｔｉｏｎ  Ｃｈａｎｎｅｌ）に加重値インデックスを割り当てる閉ループＳＴＣのためのデータ通信方法を提供することにある。
【００１１】
本発明の追加的な利点、目的及び特徴は、一部は以下の詳細な説明で説明され、一部は以下説明に基づいて当該技術分野における通常の知識を持つ者にとっては明白なもので、本発明の実行によって明らかになるであろう。上記発明の目的、他の利点は、添付の図面の他、ここに作成された説明及び請求項で指摘された構造によって実現され、得られることができる。。
【課題を解決するための手段】
【００１２】
以上の目的及び他の利点を得るために、そして、発明の目的に応じてここに具体化され且つ概略説明されたもので、本発明の一実施例として、無線通信システムでのデータ通信制御方法において、移動局と閉ループＳＴＣ（Ｓｐａｃｅ−Ｔｉｍｅ  Ｃｏｄｉｎｇ）通信状態である多重アンテナを含む基地局から受信したデータを用いて、チャネルの品質を測定する段階を含む。前記方法はまた、前記基地局の前記多重アンテナの個数に基づいて、加重値要素を含む第１加重値行列を決定する段階を含む。前記方法はまた、既設定された条件に対応して前記第１加重値行列から、後続転送のために前記基地局の前記多重アンテナを使用してデータ出力を制御することと関連した第２加重値行列を決定する段階を含む。前記方法はまた、前記第２加重値行列と関連したＳＴＣ出力の個数を前記基地局に提供する段階を含む。
【００１３】
前記第２加重値行列の加重値要素のうちの少なくとも一部は、前記基地局にフィードバックされることを特徴とすることができる。また、前記加重値要素のうちの少なくとも一部は、チャネル品質情報チャネル（Ｃｈａｎｎｅｌ  Ｑｕａｌｉｔｙ  Ｉｎｆｏｒｍａｔｉｏｎ  Ｃｈａｎｎｅｌ：ＣＱＩＣＨ）を通じて前記基地局に転送されることを特徴とすることができる。それぞれの加重値要素は、前記多重アンテナのチャネル品質と関連することができ、前記基地局から転送された送信電力及び信号の位相のうちの少なくとも一つの制御に使用されうることを特徴とする。前記ＳＴＣ出力は、データストリーム（ｓｔｒｅａｍ）に対応することを特徴とすることができる。
【００１４】
本発明のもう一つの実施例として、無線通信システムネットワークのデータ通信制御方法において、移動局と閉ループＳＴＣ（ｓｐａｃｅ−ｔｉｍｅ  ｃｏｄｉｎｇ）通信状態にある多重アンテナを含む基地局で、チャネル品質を測定するのに使用するために前記移動局にデータを転送する段階を含む。前記移動局は、前記基地局の前記多重アンテナの個数による加重値要素を含む第１加重値行列を決定することを特徴とする。前記移動局は、既設定された条件に対応して前記第１加重値行列から、後続転送のために前記基地局の前記多重アンテナを使用してデータ出力を制御することと関連した前記第２加重値行列を決定することを特徴とする。前記方法はまた、前記移動局から、第２加重値行列と関連したＳＴＣ出力個数を受信する段階を含む。
【００１５】
本発明は、好ましくは、空間及び時間上ダイバーシティを得るために多重アンテナを使用する。本発明で、ＳＴＣ（Ｓｐａｃｅ  Ｔｉｍｅ  Ｃｏｄｉｎｇ）の出力は、ストリーム（ｓｔｒｅａｍ）またはデータストリームに対応する。
【００１６】
本発明の以上の、そして他の目的、特徴、様相及び利点は、添付の図面に基づいて行われる以下の本発明の詳細な説明からより明確になる。以上の一般的な説明及び以下の本発明の詳細な説明はいずれも例示的で且つ説明的なもので、請求範囲によって発明の追加的な説明が提供されることと理解しなければならない。
【発明の効果】
【００１７】
本発明は、移動通信システムまたは広帯域無線接続システムなどの無線通信システムに適用可能である。
【発明を実施するための最良の形態】
【００１８】
以下、本発明の好ましい実施形態、添付された図面に表された例について詳細に説明する。図面中、同一の構成要素には可能な限り同一の参照番号を共通使用するものとする。
【００１９】
本発明は、直交周波数分割多重（ＯＦＤＭ）／直交周波数分割多重接続（ＯＦＤＭA）システムに適用されることができる。もちろん、本発明は、別の標準に従う無線通信システムの動作にも適用されることができる。なお、ここで、移動局は、使用者機器（ｕｓｅｒ  ｅｑｕｉｐｍｅｎｔ：ＵＥ）または他の形態の移動局を表すことができる。本発明は、好ましくは、空間及び時間上ダイバーシティを得るために多重アンテナを使用する。本発明において、ＳＴＣ（Ｓｐａｃｅ−Ｔｉｍｅ  Ｃｏｄｉｎｇ）の結果は、データストリーム（ｄａｔａｓｔｒｅａｍ）に対応する。
【００２０】
本発明は、転送ダイバーシティ利得を得るために多重転送アンテナを含む基地局で、移動局から加重値行列及びチャネル品質情報を受信する方法を提供する。基地局は、ＣＱＩＣＨ上に割り当てられる（または、写像される）加重値行列（または、チャネル品質情報）割当インデックスの通知を提供する。基地局は、移動局に情報を提供するために、閉ループＳＴＣ（ｓｐａｃｅ−ｔｉｍｅ  ｃｏｄｉｎｇ）に対するＤ−ＴｘＡＡ及び／またはＴｘＡＡ（ｔｒａｎｓｍｉｔ  ａｒｒａｙ  ａｎｔｅｎｎａ）モードによって報告された行列の大きさを設定する。
【００２１】
図２は、本発明の一実施例による、ＯＦＤＭ／ＯＦＤＭＡシステムでの移動局と基地局間のデータ通信を示すダイヤグラムである。
【００２２】
図２を参照すると、基地局（ＢＳ）は、基地局アンテナの個数（ｎｕｍｂｅｒ）に対する通知及び基地局アンテナの数による閉ループＳＴＣモードをＳＴＣ（ｓｐａｃｅ−ｔｉｍｅ  ｃｏｄｉｎｇ）領域ＩＥメッセージを通じて移動局に提供するために、多重転送アンテナを使用する（Ｓ２０）。基地局は、ＭＩＭＯＤＬ基本（または、強化した）ＩＥメッセージを通じて閉ループＳＴＣモードによる転送形態ＭＩＭＯ（ｍｕｌｔｉｐｌｅ−ｉｎｐｕｔ  ｍｕｌｔｉｐｌｅ−ｏｕｔｐｕｔ）行列の通知を提供する（Ｓ２１）。下記の数学式（２）のように、基地局は、ＴｘＡＡモードを支援するために、既存の基地局に存在する行列と異なる行列Ｃに対する通知を提供する。数学式（２）は、基地局が２つのアンテナを使用する場合、ＴｘＡＡモードに対する行列Ｃを表す。
【００２３】
【数２】
2008510420.tif 000004
その後、基地局は、写像方法、行列インデックス値及び行列の大きさに対する通知を、ＣＱＩＣＨ強化割当ＩＥメッセージを通じて提供する（Ｓ２２）。すなわち、ＣＱＩＣＨ上に行列要素のインデックス割当が写像され、加重値要素が報告され、及び／または加重値行列の大きさがＣＱＩＣＨ強化割当ＩＥメッセージに設定される。
【００２４】
前記転送形態ＭＩＭＯ行列を表すフィールドは下記表１に表し、ＣＱＩＣＨ強化割当ＩＥメッセージは下記表２に表す。
【００２５】
【表１】
2008510420.tif 000005
【００２６】
【表２−１】
2008510420.tif 000006
【００２７】
【表２−２】
2008510420.tif 000007
【００２８】
【表２−３】
2008510420.tif 000008
基地局は、移動局にＣＱＩＣＨ強化割当ＩＥメッセージの要素インデックスフィールドを通じてＣＱＩＣＨ上の加重値の割当位置の通知を提供する。前記基地局はまた、ＭＴＳＴＣ出力アンテナフィールドを通じて加重値行列の大きさ（例えば、当該行列の列の数）に対する通知を提供する。例えば、‘００’は行列１の列の数を指示し、‘０１’は行列２の列の数を指示する。
【００２９】
基地局がチャネル品質情報を要求する場合に、端末は、アンテナ数による加重値行列Ｗ及びＳＴＣアンテナ出力を獲得する。基地局は、ＣＱＩＣＨ強化割当ＩＥメッセージを通じて転送された基地局と関連した情報に基づいて、加重値行列ＷをＣＱＩＣＨ上に割り当てる。その後、ＣＱＩＣＨ強化割当ＩＥメッセージは基地局にフィードバックされる。
【００３０】
加重値行列Ｗの大きさは、基地局から移動局に転送された情報によって決定されることができる。選択的に、加重値行列の大きさは、測定されたチャネル状態を含む方法を用いて移動局によって決定されることができる。測定されたチャネル状態を含む方法を用いる場合に、移動局は、加重値行列Ｗの列の数を基地局にフィードバックする。次いで、基地局は、移動局が最適のＷを計算できるようにする可能な転送電力の通知を移動局に提供する。
【００３１】
移動局は、下記の表３及び４に示す方法を用いて加重値行列の大きさを基地局にフィードバックする。表３及び４はそれぞれ、５ビット及び６ビットのフィードバックペイロード（ｐａｙｌｏａｄ）を含み、移動局に要求されるＭＩＭＯ方法に対するデータベース、順列方法、及び／または加重値行列の大きさを提供する。例えば、移動局は、閉ループＳＭ（ｓｐａｔｉａｌ  ｍｕｌｔｉｐｌｅｘｉｎｇ）、ＰＵＳＣ／ＦＵＳＣ、及び／またはＷの２列に指示される２−ＳＴＣ出力方法の通知を基地局に提供するために、５ビットの‘０ｂ１０００１’及び６ビットの‘０ｂ１１０００２’を基地局に転送すれことができる。
【００３２】
【表３】
2008510420.tif 000009
【００３３】
【表４】
2008510420.tif 000010
前記移動局は、増加または減少量を使用して基地局にＳＴＣ出力の数（例えば、流れの数及びデータ流れ）に対する通知を提供する。例えば、ＳＴＣ出力の数が３から２に変わると、下記の表５及び６に示すように、当該移動局は‘−１ＳＴＣ出力’を基地局にフィードバックする。同様に、ＳＴＣ出力番号が３から４に変わると、下記表５及び６に示すように、当該移動局は当該基地局に‘＋１ＳＴＣ出力’をフィードバックする。
【００３４】
【表５】
2008510420.tif 000011
【００３５】
【表６】
2008510420.tif 000012
図３は、本発明の一実施例による、基地局の情報セット（例えば、要素インデックス）に基づて移動局でチャネル品質情報チャネル（ＣＱＩＣＨ）に加重値インデックスを割り当てる例を示すダイヤグラムである。
【００３６】
図３を参照すると、基地局が、要素インデックスを通じて報告される加重値（例えば、ｗ１１、ｗ２２、ｗ３２、ｗ４１）を設定した場合、移動局は、割り当てられたチャネル（サブチャネル＃１；ＣＱＩＣＨ）に当該加重値（例えば、ｗ１１、ｗ２２、ｗ３２、ｗ４１）を割り当てて基地局にフィードバックさせる。
【００３７】
図４は、本発明の一実施例による、基地局の情報セットに基づいて移動局でチャネル品質情報チャネル（ＣＱＩＣＨ）に加重値行列を写像させた一例を示すダイヤグラムである。
【００３８】
図４を参照すると、移動局は、行単位の形態で基地局に報告するために、全体加重値行列Ｗを割り当てられたチャネルに写像させる。次いで、該移動局は、ＳＴＣ出力アンテナフィールドを通じて閉ループＳＴＣによって当該基地局で要求される行列要素をフィードバックすることができる。
【００３９】
図５は、本発明の一実施例による、ＳＴＣモードがＤ−ＴｘＡＡのときの加重値の写像を示すダイヤグラムである。図６は、本発明の一実施例による、ＳＴＣモードがＴｘＡＡのときの加重値の写像を示すダイヤグラムである。
【００４０】
図５及び６を参照すると、基地局は、Ｄ−ＴｘＡＡ及び／またはＴｘＡＡモードで、加重値写像に対する方法の通知をＳＴＣ出力アンテナフィールドに提供できる。例えば、時空間転送ダイバーシティ（ＳＴＴＤ）から転送アレイアンテナ（ＴｘＡＡ）に転送モードを切り換える場合に、前記基地局は、加重値行列に関連した必要な情報を前記移動局に提供する。したがって、前記移動局は、不必要な要素値は除外した、必要な加重値インデックスを該当するチャネルを通じてフィードバックできる。当該移動局が加重値情報の代わりにチャネル品質情報を提供する場合に、この移動局はＣＱＩＣＨを通じてチャネル品質情報行列を受信する。当該基地局は加重値行列の列の大きさを前記移動局に直接的に情報提供して、フィードバックされる加重値行列の大きさを直接的に設定できる。
【００４１】
本発明の一実施例として、無線通信システムでのデータ通信制御方法において、移動局と閉ループＳＴＣ（Ｓｐａｃｅ−Ｔｉｍｅ  Ｃｏｄｉｎｇ）通信状態である多重アンテナを含む基地局から受信したデータを用いて、チャネルの品質を測定する段階を含む。前記方法はまた、前記基地局の前記多重アンテナの個数に基づいて、加重値要素を含む第１加重値行列を決定する段階を含む。前記方法はまた、既設定された条件に対応して前記第１加重値行列から、後続転送のために前記基地局の前記多重アンテナを使用してデータ出力を制御することと関連した第２加重値行列を決定する段階を含む。前記方法はまた、前記第２加重値行列と関連したＳＴＣ出力の個数を前記基地局に提供する段階を含む。
【００４２】
前記第２加重値行列の加重値要素のうちの少なくとも一部は、前記基地局にフィードバックされることを特徴とすることができる。また、前記加重値要素のうちの少なくとも一部は、チャネル品質情報チャネル（Ｃｈａｎｎｅｌ  Ｑｕａｌｉｔｙ  Ｉｎｆｏｒｍａｔｉｏｎ  Ｃｈａｎｎｅｌ：ＣＱＩＣＨ）を通じて前記基地局に転送されることを特徴とすることができる。それぞれの加重値要素は、前記多重アンテナのチャネル品質と関連することができ、前記基地局から転送された送信電力及び信号の位相のうちの少なくとも一つの制御に使用されうることを特徴とする。前記ＳＴＣ出力は、データストリーム（ｓｔｒｅａｍ）に対応することを特徴とすることができる。
【００４３】
本発明のもう一つの実施例として、無線通信システムネットワークのデータ通信制御方法において、移動局と閉ループＳＴＣ（ｓｐａｃｅ−ｔｉｍｅ  ｃｏｄｉｎｇ）通信状態にある多重アンテナを含む基地局で、チャネル品質を測定するのに使用するために前記移動局にデータを転送する段階を含む。前記移動局は、前記基地局の前記多重アンテナの個数による加重値要素を含む第１加重値行列を決定することを特徴とする。前記移動局は、既設定された条件に対応して前記第１加重値行列から、後続転送のために前記基地局の前記多重アンテナを使用してデータ出力を制御することと関連した前記第２加重値行列を決定することを特徴とする。前記方法はまた、前記移動局から、第２加重値行列と関連したＳＴＣ出力個数を受信する段階を含む。
【００４４】
本発明では、基地局は、転送された（写像方法）加重値の位置の通知を、前記基地局が不必要な加重値の受信を除く要求される特定加重値を受信できるようにするために、移動局に提供し、したがって、不必要な加重値に割り当てられたチャネルに起因する問題点を解消できる。しかも、基地局はＳＴＣ出力アンテナの通知を移動局に提供できるため、加重値行列の不必要なインデックス値のフィードバックに対するフィードバックチャネルの割当が不必要になる。
【００４５】
本発明の思想または範囲を逸脱しない限度内で本発明を様々に修正及び変更できることは、当業者にとって明白である。したがって、本発明は、添付する特許請求の範囲及びその均等範囲内で提供される修正及び変更を含むことは無論である。
【図面の簡単な説明】
【００４６】
【図１】ＯＦＤＭ／ＯＦＤＭＡシステムで移動局と基地局間のデータ通信を示すダイヤグラムである。
【図２】本発明の一実施例による、ＯＦＤＭ／ＯＦＤＭＡシステムでの移動局と基地局間のデータ通信を示すダイヤグラムである。
【図３】本発明の一実施例による、基地局の情報セットに基づく移動局によるチャネル品質情報チャネル（ＣＱＩＣＨ）に加重値インデックスを割り当てる例示を示すダイヤグラムである。
【図４】本発明の一実施例による、基地局の情報セットに基づく移動局によるチャネル品質情報チャネル（ＣＱＩＣＨ）に加重値行列を写像（ｍａｐｐｉｎｇ）させた一例を示すダイヤグラムである。
【図５】本発明の一実施例による、ＳＴＣモードがＤ−ＴｘＡＡの時の加重値の写像を示すダイヤグラムである。
【図６】本発明の一実施例による、ＳＴＣモードがＴｘＡＡの時の加重値の写像を示すダイヤグラムである。
【図１】
2008510420.tif 000013
【図２】
2008510420.tif 000014
【図３】
2008510420.tif 000015
【図４】
2008510420.tif 000016
【図５】
2008510420.tif 000017
【図６】
2008510420.tif 000018
【国際調査報告】
2008510420.tif 000019
2008510420.tif 000020